(57)【要約】      （修正有）【課題】電灯線搬送装置の薄型化の要求を満足し且つ雑音を除去且つ阻止するＡＣラインフィルタならびにその接続方法を提供する。【解決手段】４個のＬと１個のＣによって四端子回路網を構成したものであって、Ｌ１とＬ２の一方端を夫夫入力端としＬ３とＬ４の一方端を夫夫出力端とし、Ｌ１とＬ３の他方端同志を接続しＬ２とＬ４の他方端同志を接続すると共に、Ｌ１とＬ３の接続点とＬ２とＬ４と接続点との間にＣ１を挿入接続した低域フィルタであり、該Ｌ１と該Ｌ３とは直角に且つ該Ｌ２と該Ｌ４とは直角に且つ該Ｌ１と該Ｌ２とは平行に且つ該Ｌ３と該Ｌ４とは平行に配設され、該Ｃ１が該Ｌ３と該Ｌ４との間隙に配設されていることを特徴とするＡＣラインフィルタを電灯線搬送装置に備える。【選択図】図２
2004228822.tif 000002
【特許請求の範囲】
【請求項１】
スイッチング電源回路と、
該スイッチング電源回路の入力段に直列に接続するＡＣラインフィルタと、
該ＡＣラインフィルタの入力段に直列に接続するカプラ回路と、
該カプラ回路を介して前記ＡＣラインフィルタと並列に接続される前記ＲＦ回路と、少なくとも此れらの回路を構成する電子部品を配設するプリント配線基板と、を備える電源入力部を有する電灯線搬送装置であって、
前記ＡＣラインフィルタは４個のＬと１個のＣによって四端子回路網を構成したものであって、
Ｌ１とＬ２の一方端を夫夫入力端とし
Ｌ３とＬ４の一方端を夫夫出力端とし
Ｌ１とＬ３の他方端同志を接続し
Ｌ２とＬ４の他方端同志を接続すると共に
Ｌ１とＬ３の接続点とＬ２とＬ４と接続点との間にＣ１を挿入接続した低域フィルタであり、
該Ｌ１と該Ｌ３とは直角に、且つ
該Ｌ２と該Ｌ４とは直角に、且つ
該Ｌ１と該Ｌ２とは平行に、且つ
該Ｌ３と該Ｌ４とは平行に配設され、
該Ｃ１が該Ｌ３と該Ｌ４との間隙に
配設されていることを特徴とする電灯線搬送装置。
【請求項２】
コイルが発生させる磁界の方向が前記プリント配線基板と平行になるように前記Ｌ１乃至Ｌ４が配設されていることを特徴とする請求項１記載の電灯線搬送装置。
【請求項３】
前記Ｃ１と前記Ｌ３との間隙および該Ｃ１と前記Ｌ４との間隙に略矩形状の磁界誘導板が立設されていることを特徴とする請求項２記載の電灯線搬送装置。
【請求項４】
前記カプラ回路と前記ＲＦ回路とをツイストペア線により電気的に接続することを特徴とする請求項１〜３のいずれかに記載の電灯線搬送装置。
【請求項５】
商用電源と前記カプラ回路とを接続するＡＣラインと、
該カプラ回路と前記ＡＣラインフィルタとを接続するＡＣラインと、
該ＡＣラインフィルタと前記スイッチング電源回路とを接続するＡＣラインと、
にツイストペア線を使用していることを特徴とする請求項１〜４のいずれかに記載の電灯線搬送装置。
【発明の詳細な説明】
【０００１】
【発明の属する技術分野】本発明は薄型化を実現するための電灯線搬送装置に関する。
【０００２】
【従来の技術】近年の情報通信技術の進展と普及は目覚しく、特に家庭や工場内への通信サービスの簡素化、効率化のために電力線を用いて通信信号を伝送する方法で、高圧配電線から配電トランスをバイパスしてオフィスや家庭に配線済みの電灯線（低圧配電線）を利用して通信信号を伝送する家庭内ネットワークが注目されている。
該家庭内ネットワークは家庭内に備わっている電源コンセントをネットワーク回線として利用するので、家庭内ネットワークに使用される電灯線搬送装置、例えば変復調装置には電灯線を伝搬する通信信号としての高周波信号の注入、抽出及びＡＣ電源ラインのフィルタリングのための手段が重要となる。
【０００３】しかし電灯線搬送装置には薄型化及び高効率化の要求から、該電灯線搬送装置の駆動用電源供給回路を従来のリニア方式からスイッチング方式による直流安定化電源、所謂スイッチング電源回路への変更が必要となるが、商用電源から電力の供給を受けて大きなパワーのスイッチング制御を行なうスイッチング電源回路自体が雑音源となってＡＣ電源ラインに雑音を伝導放出する及び該スイッチング電源回路からの直接空中へ雑音を放射するという欠点がある。
【０００４】例えば図３は従来の電灯線搬送装置の電源入力部のブロック図、図４は公知のＡＣラインフィルタの回路図、図５はＡＣラインフィルタを構成する電子部品の配置斜視図を示すものである。
電灯線搬送装置の電源入力部３１は、該電源入力部３１を有する電灯線搬送装置本体部９の駆動用電源供給する公知のスイッチング電源回路４と電灯線を伝搬する高周波信号の注入、抽出する公知の高周波回路３（以下「ＲＦ回路」と示す。）と、公知のＡＣラインフィルタ１２と、を備え、該スイッチング電源回路４と該ＲＦ回路３と該ＡＣラインフィルタ１２とはプリント配線基板１５に配設される。
【０００５】前述のＡＣ電源ラインを通しての雑音成分の伝導放出に対しての対策として、前記スイッチング電源回路４と前記ＲＦ回路３との間、即ちＡＣ入力段に前記ＡＣラインフィルタ１２を接続することで入力帰還雑音を除去する。
該ＡＣラインフィルタ１２は図４に示すように、
ＡＣ電源ラインのＬＩＶＥラインに配置したコイルＬ１及びコイルＬ３と、
該ＡＣ電源ラインのＮＥＵＴＲＡＬラインに配置したコイルＬ２及びコイルＬ４と、コンデンサＣ１によって四端子回路網を構成したものであって、
Ｌ１とＬ２の一方端を夫夫入力端とし
Ｌ３とＬ４の一方端を夫夫出力端とし
Ｌ１とＬ３の他方端同士を接続し
Ｌ２とＬ４の他方端同士を接続すると共に
Ｌ１とＬ３の接続点とＬ２とＬ４と接続点との間にＣ１を挿入接続する。
【０００６】また前記スイッチング電源回路４からの直接空中へ放射される雑音成分に対しての対策として、該スイッチング電源回路４又は前記ＲＦ回路３を包囲するシールドケース（図示せず）を配設する若しくは該スイッチング電源回路４と該ＲＦ回路３とを離隔させて配設することで該スイッチング電源回路４からの放射雑音を阻止する。
【０００７】
【発明が解決しようとする課題】
前記プリント配線基板１５の小面積化を実現するため前記スイッチング電源回路４と前記ＲＦ回路３とを近傍に且つ該スイッチング電源回路４と該ＲＦ回路３とを平行に配設したことにより、該ＲＦ回路の入力側に接続される該プリント配線基板１５の配線パターンにスイッチング電源回路４のプリント配線基板１５の垂直方向に放射する雑音がのる現象が発生した。
さらに前記ＡＣラインフィルタ１２による該プリント配線基板１５の実装面積を抑止するため、図５に示すように前記コイル、例えばドラム形コイルＬ１〜４と前記コンデンサＣ１とを高密度に該プリント配線基板１５に立設したことにより該コイルＬ１〜４同志による結合が生じてしまうが、電灯線搬送装置の薄型化の要求を満足させるためシールドケースを配設できない。
【０００８】本発明は、上記の課題を解決するためになされたものであり、電灯線搬送装置の薄型化の要求を満足し且つ雑音を除去且つ阻止するＡＣラインフィルタならびにその接続方法を提供することを目的とする。
【０００９】
【課題を解決するための手段】上記課題を解決するために本発明に係わる請求項１記載の発明は、
スイッチング電源回路と、
該スイッチング電源回路の入力段に直列に接続するＡＣラインフィルタと、
該ＡＣラインフィルタの入力段に直列に接続するカプラ回路と、
該カプラ回路を介して前記ＡＣラインフィルタと並列に接続される前記ＲＦ回路と、少なくとも此れらの回路を構成する電子部品を平面的に配設するプリント配線基板５と、を備える電源入力部を有する電灯線搬送装置であって、
前記ＡＣラインフィルタは４個のＬと１個のＣによって四端子回路網を構成したものであって、
Ｌ１とＬ２の一方端を夫夫入力端とし
Ｌ３とＬ４の一方端を夫夫出力端とし
Ｌ１とＬ３の他方端同志を接続し
Ｌ２とＬ４の他方端同志を接続すると共に
Ｌ１とＬ３の接続点とＬ２とＬ４と接続点との間にＣ１を挿入接続した低域フィルタであり、
該Ｌ１と該Ｌ３とは直角に、且つ
該Ｌ２と該Ｌ４とは直角に、且つ
該Ｌ１と該Ｌ２とは平行に、且つ
該Ｌ３と該Ｌ４とは平行に配設され、
該Ｃ１が該Ｌ３と該Ｌ４との間隙に
配設されていることを特徴とする。
【００１０】また請求項２記載の発明は、請求項１において、コイルが発生させる磁界の方向が前記プリント配線基板を平行になるように前記Ｌ１乃至Ｌ４が配設されていることを特徴とする。
【００１１】また請求項３記載の発明は、請求項２において、前記Ｃ１と前記Ｌ３との間隙および該Ｃ１と前記Ｌ４との間隙に略矩形状の磁界誘導板が立設されていることを特徴とする。
【００１２】また請求項４記載の発明は、請求項１〜３のいずれかにおいて、前記カプラ回路と前記ＲＦ回路とをツイストペア線により電気的に接続することを特徴とする。
【００１３】また請求項４記載の発明は、請求項１〜４のいずれかにおいて、
商用電源と前記カプラ回路とを接続するＡＣラインと、
該カプラ回路と前記ＡＣラインフィルタとを接続するＡＣラインと、
該ＡＣラインフィルタと前記スイッチング電源回路とを接続するＡＣラインと、にツイストペア線を使用していることを特徴とする。
【００１４】
【発明の実施の形態】以下、図示した本発明の実施の形態に基づいて、本発明を詳細に説明する。
【００１５】図１は本発明の実施の形態の電灯線搬送装置の電源入力部の構成図で、図２はＡＣラインフィルタを構成する電子部品の配置を模式化したもので図２（ａ）は上面図、図２（ｂ）はその斜視図で、図４はＡＣラインフィルタの回路図である。
前記スイッチング電源回路４と、該スイッチング電源回路４の入力段に直列に接続するＡＣラインフィルタ２と、該ＡＣラインフィルタ２の入力段に直列に接続するカプラ回路６と、該カプラ回路６を介して該ＡＣラインフィルタ２と並列に接続される前記ＲＦ回路３と、少なくとも此れら公知の回路を構成する電子部品を平面的に配設するプリント配線基板５と、を備える電源入力部１は、
該電源入力部１の入力側、即ちカプラ回路６の入力段は商用電源に接続し、また該電源入力部１の出力側はスイッチング電源回路４の出力が供給され且つＲＦ回路３と信号を交換する電灯線搬送装置本体部９に接続する。
【００１６】前記ＡＣラインフィルタ２はコア材入りドラム形（ソレノイド形）コイルＬ１〜４（以下「コイル」と示す。）及びコンデンサＣ１を備え、
ＡＣ電源ラインのＬＩＶＥラインに配置したコイルＬ１及びコイルＬ３と、
該ＡＣ電源ラインのＮＥＵＴＲＡＬラインに配置したコイルＬ２及びコイルＬ４と、コンデンサＣ１によって四端子回路網を構成したものであって、
Ｌ１とＬ２の一方端を夫夫入力端とし
Ｌ３とＬ４の一方端を夫夫出力端とし
Ｌ１とＬ３の他方端同士を接続し
Ｌ２とＬ４の他方端同士を接続すると共に
Ｌ１とＬ３の接続点とＬ２とＬ４と接続点との間にＣ１を挿入接続する。
【００１７】コイルが発生させる磁界の方向を該コイルの長手方向とし、コイルＬ１〜４及び前記コンデンサＣ１の配置は、
コイルＬ３とコイル４とは所望の間隔を設けて該コイルＬ３及び該コイル４夫々の長手方向が平行に且つ該コイルＬ３及び該コイル４夫々の長手方向が線対称になる位置に横設され、該コイルＬ３と該コイルＬ４との対称軸上で且つコイルＬ３の斜方にコンデンサＣ１が配設され、コイルＬ２は該コンデンサＣ１が配設される方向に且つ前記対称軸によって該コイルＬ２の長手方向が垂直に二等分される位置に横設され、コイルＬ１は該コイルＬ１と該コイルＬ２夫夫の長手方向が平行に且つ該コイルＬ２と前記コイル３と前記コンデンサＣ１との間に横設する。
【００１８】さらに前記スイッチング電源回路４からの直接空中へ放射される雑音成分に対しての対策として、
前記コンデンサＣ１と前記コイルＬ３との間に該コイルＬ３の長手方向と平行に且つ該コンデンサＣ１と前記コイルＬ１との間まで延在する略矩形状の磁界誘導板７ｂを、また該コンデンサＣ１を挟んで該磁界誘導板７ｂと線対称になる位置に且つ該コンデンサＣ１とコイル４との間に磁界誘導板７ｂとほぼ同寸法の磁界誘導板７ａを、夫夫立設するのが望ましい。また該磁界誘導板７ａ及び７ｂには誘電率の高い銅板などの金属板が好適である。
【００１９】前記カプラ回路６と前記ＲＦ回路３との接続には、電磁誘導による雑音を除去するためツイストペア線８を使用する。
【００２０】以上ではコア材入りドラム形コイルを用いて本発明を説明したが、本発明はコア材入りドラム形コイルのみに限定するものではなく空芯ドラム形コイル、ハニカム形、トロイダル形等のコイルに適用できることは云うまでもない。
【００２１】また前記磁界誘導板７ａ及び７ｂには金属板だけではなく、金属めっきを施した樹脂板でも適用できる。
【００２２】また電磁誘導による雑音を除去するために、ＡＣラインにもツイストペア線を使用するのが望ましい。
【００２３】前記電源入力部１は前記電灯線搬送装置本体部９に内蔵しても又は該電源入力部１を単独のユニット、例えば該電源入力部１の入力側、即ち前記カプラ回路６の入力段には商用電源用ケーブルを接続し、該電源入力部１の出力側はスイッチング電源回路４の出力用ならびに前記ＲＦ回路３との入出力信号用のコネクタを接続したものでも構わない。
【００２４】このように構成することにより、電灯線搬送装置の薄型化の要求を満足し且つ雑音を除去且つ阻止するＡＣラインフィルタならびにその接続方法を提供することできる。
【００２５】
【発明の効果】請求項１乃至２記載の発明によれば、ＡＣラインフィルタの周波数特性が広帯域に渡り安定し且つコイル相互の間隔を小さくできることにより実装面積を小さくできるという効果を有する。
【００２６】請求項３記載の発明によれば、コイル同士の磁界干渉を抑えることができるという効果を有する。
【００２７】請求項４乃至５記載の発明によれば、ツイストペア線のツイスト区間毎に磁界の方向と該ツイストペア線に流れる電流が倒置することにより電磁誘導が小さくなるという効果を有する。
【図面の簡単な説明】
【図１】本発明の実施の形態としての電灯線搬送装置の電源入力部の構成図。
【図２】本発明の実施の形態におけるＡＣラインフィルタを構成する電子部品の配置模式図。
（ａ）上面図。          （ｂ）斜視図。
【図３】従来の電灯線搬送装置の電源入力部のブロック図。
【図４】公知の電源入力部のＡＣラインフィルタの回路図。
【図５】従来のＡＣラインフィルタを構成する電子部品の配置斜視図。
【符号の説明】
１、３１…電源入力部    ２、１２…ＡＣラインフィルタ
３…ＲＦ回路    ４…スイッチング電源回路
５、１５…プリント配線基板
６…カプラ回路    ７ａ、７ｂ…磁界誘導板    ８…ツイストペア線
９…電灯線搬送装置本体部
Ｌ１〜４…コア材入りドラム形コイル    Ｃ１…コンデンサ
【図１】
2004228822.tif 000003
【図２】
2004228822.tif 000004
【図３】
2004228822.tif 000005
【図４】
2004228822.tif 000006
【図５】
2004228822.tif 000007